(57)【特許請求の範囲】
【請求項１】
無線通信システムにおける衝突検出を容易にする方法であって、
１または複数の期間中に、複数の基地局から識別情報を受信することと、
前記複数の基地局からの識別情報の少なくとも２つの異なる値が、同じ期間中に送信されたかを判定することと、
前記複数の基地局からの識別情報の少なくとも２つの異なる値が、同じ期間中に送信されたと判定することに応じて、前記複数の基地局のうちの少なくとも２つの間で衝突が発生したと判定することと
を備え、
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信される方法。
【請求項２】
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含む請求項１に記載の方法。
【請求項３】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有する請求項２に記載の方法。
【請求項４】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項２に記載の方法。
【請求項５】
無線通信システムにおける衝突検出を容易にする方法であって、
１または複数の期間中に、複数の基地局から識別情報を受信することと、
前記複数の基地局からの識別情報の少なくとも２つの異なる値が、同じ期間中に送信されたかを判定することと、
前記複数の基地局からの識別情報の少なくとも２つの異なる値が、同じ期間中に送信されたと判定することに応じて、前記複数の基地局のうちの少なくとも２つの間で衝突が発生したと判定することと
を備え、
前記識別情報は、前記複数の基地局からプライマリ・ブロードキャスト・チャネルによって受信される方法。
【請求項６】
前記衝突の検出をレポートすることをさらに備える請求項１または５に記載の方法。
【請求項７】
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つである請求項５に記載の方法。
【請求項８】
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備える請求項７に記載の方法。
【請求項９】
コンピュータ読取可能な記録媒体であって、
コンピュータに対して、１または複数の期間中に、複数の基地局から識別情報を受信させるための第１のコードのセットと、
前記コンピュータに対して、前記複数の基地局からの識別情報の少なくとも２つの異なる値が、同じ期間中に送信されたかを判定させるための第２のコードのセットと、
前記複数の基地局からの識別情報の少なくとも２つの異なる値が、同じ期間中に送信されたと判定することに応じて、前記コンピュータに対して、前記複数の基地局のうちの少なくとも２つの間で衝突が発生したと判定させるための第３のコードのセットと
を記録し、
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信されるコンピュータ読取可能な記録媒体。
【請求項１０】
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含む請求項９に記載のコンピュータ読取可能な記録媒体。
【請求項１１】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有する請求項１０に記載のコンピュータ読取可能な記録媒体。
【請求項１２】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号の２つの異なる周波数オフセットを用いてシグナルされる請求項１０に記載のコンピュータ読取可能な記録媒体。
【請求項１３】
コンピュータ読取可能な記録媒体であって、
コンピュータに対して、１または複数の期間中に、複数の基地局から識別情報を受信させるための第１のコードのセットと、
前記コンピュータに対して、前記複数の基地局からの識別情報の少なくとも２つの異なる値が、同じ期間中に送信されたかを判定させるための第２のコードのセットと、
前記複数の基地局からの識別情報の少なくとも２つの異なる値が、同じ期間中に送信されたと判定することに応じて、前記コンピュータに対して、前記複数の基地局のうちの少なくとも２つの間で衝突が発生したと判定させるための第３のコードのセットと
を記録し、
前記識別情報は、前記複数の基地局からプライマリ・ブロードキャスト・チャネルによって受信されるコンピュータ読取可能な記録媒体。
【請求項１４】
前記コンピュータに、前記衝突の検出をレポートさせるための第４のコードのセットをさらに備える請求項９または１３に記載のコンピュータ読取可能な記録媒体。
【請求項１５】
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つである請求項１３に記載のコンピュータ読取可能な記録媒体。
【請求項１６】
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備える請求項１５に記載のコンピュータ読取可能な記録媒体。
【請求項１７】
装置であって、
１または複数の期間中に、複数の基地局から識別情報を受信する手段と、
前記複数の基地局からの識別情報の少なくとも２つの異なる値が、同じ期間中に送信されたかを判定する手段と、
前記複数の基地局からの識別情報の少なくとも２つの異なる値が、同じ期間中に送信されたと判定することに応じて、前記複数の基地局のうちの少なくとも２つの間で衝突が発生したと判定する手段と
を備え、
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信される装置。
【請求項１８】
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含む請求項１７に記載の装置。
【請求項１９】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有する請求項１８に記載の装置。
【請求項２０】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項１８に記載の装置。
【請求項２１】
装置であって、
１または複数の期間中に、複数の基地局から識別情報を受信する手段と、
前記複数の基地局からの識別情報の少なくとも２つの異なる値が、同じ期間中に送信されたかを判定する手段と、
前記複数の基地局からの識別情報の少なくとも２つの異なる値が、同じ期間中に送信されたと判定することに応じて、前記複数の基地局のうちの少なくとも２つの間で衝突が発生したと判定する手段と
を備え、
前記識別情報は、前記複数の基地局からプライマリ・ブロードキャスト・チャネルによって受信される装置。
【請求項２２】
前記衝突の検出をレポートする手段をさらに備える請求項１７または２１に記載の装置。
【請求項２３】
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つである請求項２１に記載の装置。
【請求項２４】
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備える請求項２３に記載の装置。
【請求項２５】
装置であって、
１または複数の期間中に、複数の基地局から識別情報を受信し、
前記複数の基地局からの識別情報の少なくとも２つの異なる値が、同じ期間中に送信されたかを判定し、
前記複数の基地局からの識別情報の少なくとも２つの異なる値が、同じ期間中に送信されたと判定することに応じて、前記複数の基地局のうちの少なくとも２つの間で衝突が発生したと判定する
ように構成された衝突検出モジュールを備え、
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信される装置。
【請求項２６】
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含む請求項２５に記載の装置。
【請求項２７】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有する請求項２６に記載の装置。
【請求項２８】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項２６に記載の装置。
【請求項２９】
装置であって、
１または複数の期間中に、複数の基地局から識別情報を受信し、
前記複数の基地局からの識別情報の少なくとも２つの異なる値が、同じ期間中に送信されたかを判定し、
前記複数の基地局からの識別情報の少なくとも２つの異なる値が、同じ期間中に送信されたと判定することに応じて、前記複数の基地局のうちの少なくとも２つの間で衝突が発生したと判定する
ように構成された衝突検出モジュールを備え、
前記識別情報は、前記複数の基地局からプライマリ・ブロードキャスト・チャネルによって受信される装置。
【請求項３０】
前記衝突検出モジュールはさらに、前記衝突の検出をレポートするように構成された請求項２５または２９に記載の装置。
【請求項３１】
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つである請求項２９に記載の装置。
【請求項３２】
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備える請求項３１に記載の装置。
【請求項３３】
無線通信システムにおける衝突検出を容易にする方法であって、
１または複数の期間中に、第１の識別情報をユーザ機器へ送信することを備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用され、
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、ポジショニング基準信号、あるいは、物理セル識別子を含む別の基準またはポジショニング信号のうちの少なくとも１つによって送信される方法。
【請求項３４】
前記ユーザ機器が、前記第１の基地局と、前記第２の識別情報を送信する第２の基地局との間の衝突を検出したことに応じて、前記ユーザ機器から、衝突を示すレポートを受信することをさらに備える請求項３３に記載の方法。
【請求項３５】
物理セル・アイデンティフィケーション再設定によって前記衝突を解決することをさらに備える請求項３４に記載の方法。
【請求項３６】
前記１または複数の期間中におけるユーザ機器への第１の識別情報、または、第２の識別情報は、グローバル・セル識別子ハッシュ・ビットまたはランダムに生成されたビットのうちの少なくとも１つによって送信される請求項３３に記載の方法。
【請求項３７】
前記グローバル・セル識別子ハッシュ・ビットと、前記物理セル識別子との１対１のマッピングが存在する請求項３６に記載の方法。
【請求項３８】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項３６に記載の方法。
【請求項３９】
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷である請求項３３に記載の方法。
【請求項４０】
コンピュータ読取可能な記録媒体であって、
コンピュータに対して、１または複数の期間中に、第１の識別情報をユーザ機器へ送信させるための第１のコードのセットを記録しており、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用され、
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、ポジショニング基準信号、あるいは、物理セル識別子含む別の基準またはポジショニング信号のうちの少なくとも１つによって送信されるコンピュータ読取可能な記録媒体。
【請求項４１】
前記ユーザ機器が、前記第１の基地局と、前記第２の識別情報を送信する第２の基地局との間の衝突を検出したことに応じて、前記コンピュータに対して、前記ユーザ機器から、衝突を示すレポートを受信させるための第２のコードのセットをさらに記録した、請求項４０に記載のコンピュータ読取可能な記録媒体。
【請求項４２】
前記コンピュータに対して、物理セル・アイデンティフィケーション再設定によって前記衝突を解決させるための第３のコードのセットをさらに記録した、請求項４１に記載のコンピュータ読取可能な記録媒体。
【請求項４３】
前記１または複数の期間中におけるユーザ機器への第１の識別情報、または、第２の識別情報は、グローバル・セル識別子ハッシュ・ビットまたはランダムに生成されたビットのうちの少なくとも１つによって送信される請求項４０に記載のコンピュータ読取可能な記録媒体。
【請求項４４】
前記グローバル・セル識別子ハッシュ・ビットと、前記物理セル識別子との１対１のマッピングが存在する請求項４３に記載のコンピュータ読取可能な記録媒体。
【請求項４５】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項４３に記載のコンピュータ読取可能な記録媒体。
【請求項４６】
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷である請求項４０に記載のコンピュータ読取可能な記録媒体。
【請求項４７】
装置であって、
１または複数の期間中に、第１の識別情報をユーザ機器へ送信する手段を備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用され、
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、ポジショニング基準信号、あるいは、物理セル識別子を含む別の基準またはポジショニング信号のうちの少なくとも１つによって送信される装置。
【請求項４８】
前記ユーザ機器が、前記第１の基地局と、前記第２の識別情報を送信する第２の基地局との間の衝突を検出したことに応じて、前記ユーザ機器から、衝突を示すレポートを受信する手段をさらに備える請求項４７に記載の装置。
【請求項４９】
物理セル・アイデンティフィケーション再設定によって前記衝突を解決する手段をさらに備える請求項４８に記載の装置。
【請求項５０】
前記１または複数の期間中におけるユーザ機器への第１の識別情報、または、第２の識別情報は、グローバル・セル識別子ハッシュ・ビットまたはランダムに生成されたビットのうちの少なくとも１つによって送信される請求項４７に記載の装置。
【請求項５１】
前記グローバル・セル識別子ハッシュ・ビットと、前記物理セル識別子との１対１のマッピングが存在する請求項５０に記載の装置。
【請求項５２】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項５０に記載の装置。
【請求項５３】
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷である請求項４７に記載の装置。
【請求項５４】
装置であって、
１または複数の期間中に、第１の識別情報をユーザ機器へ送信するように構成された物理セル・アイデンティフィケーション・モジュールを備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用され、
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、ポジショニング基準信号、あるいは、物理セル識別子とを含む別の基準またはポジショニング信号のうちの少なくとも１つによって送信される装置。
【請求項５５】
前記物理セル・アイデンティフィケーション・モジュールはさらに、前記ユーザ機器が、前記第１の基地局と、前記第２の識別情報を送信する第２の基地局との間の衝突を検出したことに応じて、前記ユーザ機器から、衝突を示すレポートを受信するように構成された請求項５４に記載の装置。
【請求項５６】
前記物理セル・アイデンティフィケーション・モジュールはさらに、物理セル・アイデンティフィケーション再設定によって前記衝突を解決するように構成された請求項５５に記載の装置。
【請求項５７】
前記１または複数の期間中におけるユーザ機器への第１の識別情報、または、第２の識別情報は、グローバル・セル識別子ハッシュ・ビットまたはランダムに生成されたビットのうちの少なくとも１つによって送信される請求項５４に記載の装置。
【請求項５８】
前記グローバル・セル識別子ハッシュ・ビットと、前記物理セル識別子との１対１のマッピングが存在する請求項５７に記載の装置。
【請求項５９】
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされる請求項５７に記載の装置。
【請求項６０】
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷である請求項５４に記載の装置。
【発明の詳細な説明】
【関連出願に対する相互参照】
【０００１】
本願は、その全体が、本明細書において参照によって組み込まれ、２００９年３月１３日に出願された「同期ネットワークにおける物理セル識別子（ＰＣＩ）衝突検出を可能にするための方法および装置」（Method and Apparatus to Enable Physical Cell Identifier (PCI) Collision Detection in Synchronous Networks）と題された米国仮出願６１／１６０，２１４号の利益を主張する。
【技術分野】
【０００２】
以下の記載は、一般に、無線通信に関し、特に、無線通信システムにおける物理セル識別子（ＰＣＩ）衝突検出に関する。
【背景技術】
【０００３】
無線通信システムは、さまざまなタイプの通信を提供するために広く開発された。例えば、音声および／またはデータは、そのような無線通信システムによって提供されうる。典型的な無線通信システムまたはネットワークは、１または複数の共有リソース（例えば、帯域幅、送信電力）へ複数のユーザ・アクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
一般に、無線多元接続通信システムは、複数のユーザ機器（ＵＥ）のための通信を同時にサポートしうる。ＵＥはおのおのの、順方向リンクおよび逆方向リンクにおける送信によって１または複数の基地局（ＢＳ）と通信しうる。順方向リンク（すなわち、ダウンリンク（ＤＬ））は、ＢＳからＵＥへの通信リンクを称し、逆方向リンク（すなわち、アップリンク（ＵＬ））は、ＵＥからＢＳへの通信リンクを称する。
【０００５】
無計画の自己体系ネットワーク（ＳＯＮ：unplanned and self organizing networks）では、同じ物理セル識別子（ＰＣＩ）を持つ複数のセルによって所与の領域がカバーされる可能性がある。これは、本明細書では、「衝突」と称される。衝突の結果、例えば、ハンドオーバ中に、曖昧な動作が生じうる。衝突の無い動作の可能性を高める１つの方法は、衝突をレポートするようにＵＥを設定することである。ＵＥが衝突検出機能を持っている場合、ＵＥによる衝突レポートが容易とされうる。これは、近隣セル探索が、異なる時間オフセットにおいて両方の対象セルを検出する非同期ネットワークにおいてある程度達成されうる。しかしながら、このようなネットワークは、同期ネットワークでは動作しない。なぜなら、セル探索中に含まれる信号の単一周波数ネットワーク（ＳＦＮ）性能によって、ＵＥには、衝突している２つのセルが、１つのセルとしてしか見えないからである。したがって、同期ネットワークにおけるＰＣＩ衝突検出を可能にするためのシステム、装置、および方法が望まれる。
【発明の概要】
【０００６】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００７】
１または複数の実施形態および対応する開示によれば、さまざまな態様が、無線通信システムにおける衝突検出を容易にするためのネットワーク・リスニングに関連して記載される。
【０００８】
関連する態様によれば、方法が提供される。この方法は、無線通信システムにおける衝突検出を容易にしうる。この方法は、１または複数の期間中に、複数のＢＳから識別情報を受信することと、複数のＢＳからの識別情報の少なくとも２つの異なる値が、同じ期間中に送信されたかを判定することと、複数のＢＳからの識別情報の少なくとも２つの異なる値が、同じ期間中に送信されたと判定することに応じて、複数のＢＳのうちの少なくとも２つの間で衝突が発生したと判定することとを含みうる。
【０００９】
別の態様によれば、コンピュータ・プログラム製品が提供される。このコンピュータ・プログラム製品は、コンピュータ読取可能媒体を含みうる。このコンピュータ読取可能媒体は、コンピュータに対して、１または複数の期間中に、複数のＢＳから識別情報を受信させるための第１のコードのセットと、コンピュータに対して、複数のＢＳからの識別情報の少なくとも２つの異なる値が、同じ期間中に送信されたかを判定させるための第２のコードのセットと、複数のＢＳからの識別情報の少なくとも２つの異なる値が、同じ期間中に送信されたと判定することに応じて、コンピュータに対して、複数のＢＳのうちの少なくとも２つの間で衝突が発生したと判定させるための第３のコードのセットとを含みうる。
【００１０】
別の態様によれば、装置が提供される。この装置は、１または複数の期間中に、複数のＢＳから識別情報を受信する手段と、複数のＢＳからの識別情報の少なくとも２つの異なる値が、同じ期間中に送信されたかを判定する手段と、複数のＢＳからの識別情報の少なくとも２つの異なる値が、同じ期間中に送信されたと判定することに応じて、複数のＢＳのうちの少なくとも２つの間で衝突が発生したと判定する手段とを含みうる。
【００１１】
別の態様によれば、装置が提供される。この装置は、衝突検出モジュールを含みうる。衝突検出モジュールは、１または複数の期間中に、複数のＢＳから識別情報を受信し、複数のＢＳからの識別情報の少なくとも２つの異なる値が、同じ期間中に送信されたかを判定し、複数のＢＳからの識別情報の少なくとも２つの異なる値が、同じ期間中に送信されたと判定することに応じて、複数のＢＳのうちの少なくとも２つの間で衝突が発生したと判定するように構成されうる。
【００１２】
関連する態様によれば、別の方法が提供される。この方法は、１または複数の期間中に、第１の識別情報をＵＥへ送信することを含み、ここで、第１の識別情報は、第１のＢＳによって管理されたセルの値を示し、第１のＢＳと、第２の識別情報を送信する第２のＢＳとの間で衝突が生じたかを判定するために、１または複数の期間のうちの少なくとも１つと、第１のＢＳによって管理されたセルの値とが適用される。
【００１３】
別の態様によれば、別のコンピュータ・プログラム製品が提供される。このコンピュータ・プログラム製品は、コンピュータ読取可能媒体を含みうる。このコンピュータ読取可能媒体は、コンピュータに対して、１または複数の期間中に、第１の識別情報をＵＥへ送信させるための第１のコードのセットを含み、ここで、第１の識別情報は、第１のＢＳによって管理されたセルの値を示し、第１のＢＳと、第２の識別情報を送信する第２のＢＳとの間で衝突が生じたかを判定するために、１または複数の期間のうちの少なくとも１つと、第１のＢＳによって管理されたセルの値とが適用される。
【００１４】
別の態様によれば、別の装置が提供される。この装置は、１または複数の期間中に、第１の識別情報をＵＥへ送信する手段を含み、ここで、第１の識別情報は、第１のＢＳによって管理されたセルの値を示し、第１のＢＳと、第２の識別情報を送信する第２のＢＳとの間で衝突が生じたかを判定するために、１または複数の期間のうちの少なくとも１つと、第１のＢＳによって管理されるセルの値とが適用される。
【００１５】
別の態様によれば、別の装置が提供される。この装置は、物理セル識別モジュールを含みうる。物理セル識別モジュールは、１または複数の期間中に、第１の識別情報をＵＥへ送信するように構成され、ここで、第１の識別情報は、第１のＢＳによって管理されたセルの値を示し、第１のＢＳと、第２の識別情報を送信する第２のＢＳとの間で衝突が生じたかを判定するために、１または複数の期間のうちの少なくとも１つと、第１のＢＳによって管理されたセルの値とが適用される。
【００１６】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１７】
【図１】図１は、本明細書に記載されたさまざまな態様にしたがって、同期ネットワークにおける物理セル識別子（ＰＣＩ）衝突検出を可能にする無線通信システムの例の図示である。
【図２】図２は、本明細書に記載されたさまざまな態様にしたがって、同期ネットワークにおけるＰＣＩ衝突検出を可能にする無線通信システムの別の例の図示である。
【図３】図３は、本明細書に記載されたさまざまな態様にしたがって、同期ネットワークにおけるＰＣＩ衝突検出を可能にする無線通信システムの別の例の図示である。
【図４】図４は、本明細書に記載されたさまざまな態様にしたがって、ＰＣＩ衝突検出を可能にする無線通信システムにおける有効通信範囲マップの例の図示である。
【図５】図５は、本明細書に記載されたさまざまな態様にしたがって、ＰＣＩ衝突検出を可能にする無線通信システムのブロック図の例の図示である。
【図６】図６は、本明細書に記載された実施形態にしたがって衝突検出を可能にする方法を例示するフローチャートである。
【図７】図７は、本明細書に記載された実施形態にしたがって衝突検出を可能にする方法を例示するフローチャートである。
【図８】図８は、本明細書に記載された実施形態にしたがって衝突検出を可能にする方法を例示するフローチャートである。
【図９】図９は、本明細書に記載された実施形態にしたがって衝突検出を可能にする方法を例示するフローチャートである。
【図１０】図１０は、本明細書に記載されたさまざまな態様にしたがってＰＣＩ衝突検出を可能にするためのシステムのブロック図である。
【図１１】図１１は、本明細書に記載されたさまざまな態様にしたがってＰＣＩ衝突検出を可能にするためのシステムのブロック図である。
【図１２】図１２は、本明細書に記載された実施形態が、本明細書に記載されたさまざまな態様にしたがって適用されうる無線通信システムの例を示す。
【発明を実施するための形態】
【００１８】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら特定の詳細なしで実現されうることが明白である。他の事例では、１または複数の実施形態の記載を容易にするために、周知の構成およびデバイスがブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、および／または、実行中のソフトウェアの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイスで動作するアプリケーション、および／または、コンピューティング・デバイスの両方が構成要素になりうる。１または複数の構成要素は、プロセスおよび／または実行スレット内に存在し、構成要素は、１つのコンピュータに局在化されうるか、および／または、１または複数のコンピュータ間に分散されうる。さらに、これらの構成要素は、さまざまなデータ構造が格納されたさまざまなコンピュータ読取可能媒体から実行可能でありうる。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２０】
本明細書で記載された技術は、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）等のようなさまざまな無線通信システムのために使用されうる。「システム」、「ネットワーク」という用語はしばしば置換可能に使用される。ＣＤＭＡシステムは、例えばユニバーサル地上ラジオ接続（ＵＴＲＡ）、ＣＤＭＡ８０２０等のようなラジオ技術を実施しうる。ＵＴＲＡは、広帯域ＣＤＭＡ（Ｗ−ＣＤＭＡ）およびＣＤＭＡのその他の変形を含んでいる。ＣＤＭＡ８０２０は、暫定規格８０２０（ＩＳ−８０２０）、暫定規格９５（ＩＳ−９５）、および暫定規格８５６（ＩＳ−８５６）をカバーする。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクにおいてＯＦＤＭＡを適用し、ＵＬにおいてＳＣ−ＦＤＭＡを適用するＥ−ＵＴＲＡを使用するＵＭＴＳの最新リリースである。ＵＴＲＡ、Ｅ−ＵＴＲＡ、ＵＭＴＳ、ＬＴＥ、およびＧＳＭ（登録商標）は、「第３世代パートナシップ計画プロジェクト」（３ＧＰＰ）と命名された組織からのドキュメントに記述されている。それに加えて、ＣＤＭＡ８０２０およびＵＭＢは、「第３世代パートナシップ計画２」（３ＧＰＰ２）と命名された組織からのドキュメントに記載されている。さらに、このような無線通信システムは、それに加えて、しばしばアンペア（unpaired）な無許可のスペクトルを用いるピア・トゥ・ピア（例えば、モバイル・トゥ・モバイル）アド・ホック・ネットワーク・システム、８０２．ｘｘ無線ローカル・エリア・ネットワーク（無線ＬＡＮ）、ＢＬＵＥＴＯＯＴＨ（登録商標）、および、その他任意の短距離または長距離の無線通信技術を含みうる。
【００２１】
ＳＣ−ＦＤＭＡは、単一キャリア変調および周波数領域等値化を利用する。ＳＣ−ＦＤＭＡは、ＯＦＤＭＡシステムのものと同じ性能および本質的に同じ複雑さを有しうる。ＳＣ−ＦＤＭＡ信号は、その固有のシングル・キャリア構造のために、より低いピーク対平均電力比（ＰＡＰＲ）を有しうる。ＳＣ−ＦＤＭＡは、例えば、送信電力効率の観点から、より低いＰＡＰＲがより利点を持つアップリンク通信において使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
さらに、さまざまな実施形態が、ＵＥに関連して本明細書に記載される。ＵＥはまた、システム、加入者ユニット、加入者局、移動局、モバイル、遠隔局、遠隔端末、モバイル・デバイス、アクセス端末、無線通信デバイス、ユーザ・エージェント、あるいはユーザ・デバイスとも称されうる。ＵＥは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、さまざまな実施形態が、ＢＳまたはアクセス・ノード（ＡＮ）に関連して本明細書に記載される。ＢＳは、ＵＥと通信するために利用することができ、アクセス・ポイント、ＢＳ、フェムト・ノード、ピコ・ノード、ノードＢ、イボルブド・ノードＢ（ｅＮｏｄｅＢ、ｅＮＢ）、あるいはその他のある用語で称されうる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ）、光ディスク（例えば、コンパクト・ディスク（ＣＤ）、デジタル・バーサタイル・ディスク（ＤＶＤ））、スマート・カード、およびフラッシュ・メモリ・デバイス（例えば、消去可能なプログラマブル読取専用メモリ（ＥＰＲＯＭ）、カード、スティック、キー・ドライブ）を含みうる。さらに、本明細書に記載されたさまざまな記憶媒体は、情報を格納するための１または複数のデバイス、および／または、その他の機械読取可能媒体を表すことができる。用語「機械読取可能媒体」は、制限される訳ではないが、無線通信チャネル、および、コードおよび／または命令群および／またはデータの格納、包含、および／または伝送が可能なその他さまざまな媒体（および／または記憶媒体）を含みうる。
【００２５】
いくつかの態様では、本明細書に記載された技術は、マクロ・スケールの有効通信範囲（例えば、一般にマクロ・セル・ネットワークと称される３Ｇネットワークのような大規模なセルラ・ネットワーク）およびより小規模な有効通信範囲（例えば、住宅ベースまたはビルディング・ベースのネットワーク環境）を含むネットワーク内に適用されうる。ＵＥは、このようなネットワークを通って移動する。ＵＥは、マクロ有効通信範囲を提供するＢＳによって、ある位置においてサービス提供される一方、ＵＥは、より小規模な有効通信範囲を提供するＢＳによって、別の位置においてサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における記載では、比較的大規模な領域にわたって有効通信範囲を提供するノードは、マクロ・ノードと称されうる。比較的小さな領域（例えば、住宅）に対して有効通信範囲を提供するノードは、フェムト・ノードと称されうる。マクロ・エリアよりも小さいが、フェムト・エリアよりも大きな領域にわたって有効通信範囲を提供するノードは、（例えば、商業ビルディング内に有効通信範囲を提供する）ピコ・ノードと称されうる。
【００２６】
マクロ・ノード、フェムト・ノードあるいはピコ・ノードに関連付けられたセルは、マクロ・セル、フェムト・セル、あるいはピコ・セルとそれぞれ称される。いくつかの実施例では、おのおののセルがさらに、１または複数のセクタに関連付けられる（分割される）。
【００２７】
さまざまなアプリケーションでは、マクロ・ノード、フェムト・ノード、あるいはピコ・ノードを称するためにその他の用語が使用されうる。例えば、マクロ・ノードは、ＢＳ、アクセス・ポイント、ｅノードＢ、マクロ・セル等として構成されるか、あるいは、称されうる。さらに、フェムト・ノードは、ホーム・ノードＢ、ホームｅノードＢ、アクセス・ポイント・アクセス・ノード、ＢＳ、フェムト・セル等として構成されるか、あるいは、称されうる。
【００２８】
図１は、本明細書に記載されたさまざまな態様にしたがって、同期ネットワークにおける物理セル識別子（ＰＣＩ）衝突検出を可能にする無線通信システムの例の図示である。
【００２９】
図１に示すように、本明細書に記載されたさまざまな実施形態にしたがう無線通信システム１００が例示されている。システム１００は、複数のアンテナ・グループを含みうるＢＳ１０２を含む。例えば、１つのアンテナ・グループは、アンテナ１０４、１０６を含み、他のグループは、アンテナ１０８、１１０を含み、さらに別のグループは、アンテナ１１２、１１４を含みうる。おのおののアンテナ・グループについて２本のアンテナしか例示されていないが、２本より多いアンテナ、または２本より少ないアンテナも、各グループのために利用されうる。ＢＳ１０２は、それに加えて、送信ノード・チェーンおよび受信ノード・チェーンを含みうる。これらのおのおのは、当業者によって認識されるように、信号の送信および受信に関連付けられた複数の構成要素（例えば、プロセッサ、変調器、マルチプレクサ、復調器、デマルチプレクサ、アンテナ）を備えうる。
【００３０】
ＢＳ１０２は、例えばＵＥ１１６、１２２のような１または複数のＵＥと通信しうる。しかしながら、ＢＳ１０２は、ＵＥ１１６、１２２に類似した実質的に任意の数のＵＥと通信しうることが認識されるべきである。ＵＥ１１６、１２２は例えば、セルラ電話、スマート・フォン、ラップトップ、ハンドヘルド通信デバイス、ハンドヘルド・コンピューティング・デバイス、衛星ラジオ、全地球測位システム、携帯情報端末（ＰＤＡ）、および／または、無線通信システム１００によって通信するのに適切なその他任意のデバイスでありうる。図示するように、ＵＥ１１６は、アンテナ１１２、１１４と通信しており、ここで、アンテナ１１２、１１４は、ＤＬ１１８によってＵＥ１１６へ情報を送信し、ＵＬ１２０によってＵＥ１１６から情報を受信する。さらに、ＵＥ１２２は、アンテナ１０４、１０６と通信しており、ここで、アンテナ１０４、１０６は、ＤＬ１２４によってＵＥ１２２へ情報を送信し、ＵＬ１２６によってＵＥ１２２から情報を受信する。周波数分割デュプレクス（ＦＤＤ）システムでは、例えば、ＤＬ１１８は、ＵＬ１２０によって使用されているものとは異なる周波数帯域を利用し、ＤＬ１２４は、ＵＬ１２６によって適用されているものとは異なる周波数帯域を適用しうる。さらに、時分割デュプレクス（ＴＤＤ）システムでは、ＤＬ１１８およびＵＬ１２０が、共通の周波数帯域を利用し、ＤＬ１２４およびＵＬ１２６は、共通の周波数帯域を利用する。
【００３１】
通信するように設計された領域および／またはアンテナの各グループは、ＢＳ１０２のセクタと称されうる。例えば、アンテナ・グループは、ＢＳ１０２によってカバーされた領域のセクタ内のＵＥと通信するように設計されうる。ＤＬ１１８、１２４による通信では、ＢＳ１０２の送信アンテナは、ＵＥ１１６、１２２のためのＤＬ１１８、１２４の信号対雑音比を改善するためにビーム・フォーミングを利用しうる。さらに、ＢＳ１０２は、関連付けられた有効通信範囲にランダムに散在したＵＥ１１６、１２２へ送信するためにビーム・フォーミングを利用している間、近隣セル内のＵＥ１１６、１２２は、すべてのＵＥへ単一のアンテナによって送信しているＢＳと比べて、少ない干渉しか被らない。
【００３２】
図２は、本明細書に記載されたさまざまな態様にしたがって、同期ネットワークにおいてＰＣＩ衝突検出を可能にする別の無線通信システムの例の図示である。システム２００は、例えばマクロ・セル２０２Ａ−２０２Ｇのような複数のセル２０２のための通信を提供する。ここで、おのおののセルは、対応するＢＳ２０４（例えば、ＢＳ２０４Ａ−２０４Ｇ）によってサービス提供される。図２に示すように、ＵＥ２０６（例えば、ＵＥ２０６Ａ−２０６Ｌ）は、時間にわたってシステム内のさまざまな場所に分散されうる。おのおののＵＥ２０６は、例えば、ＵＥ２０６がアクティブであるか、および、ソフト・ハンドオフにあるかに依存して、所与の時間において、ＤＬまたはＵＬによって、１または複数のＢＳ２０４と通信しうる。無線通信システム２００は、大規模な地理的領域にわたってサービスを提供することができる。例えば、マクロ・セル２０２Ａ−２０２Ｇは、近隣の数ブロックをカバーしうる。
【００３３】
図３は、無線通信システムの例の図示であって、ここでは、１または複数のフェムト・ノードが展開されており、本明細書に記載されたさまざまな態様にしたがって、同期ネットワークにおけるＰＣＩ衝突検出を可能にする。具体的には、システム３００は、（例えば、１または複数のユーザの住宅３３０のような）比較的小規模なネットワーク環境に搭載された複数のフェムト・ノード３１０（例えば、フェムト・ノード３１０Ａ、３１０Ｂ）を含む。おのおののフェムト・ノード３１０は、ＤＳＬルータ、ケーブル・モデム、無線リンク、またはその他の接続手段（図示せず）を経由して、広域ネットワーク３４０（例えば、インターネット）およびモバイル・オペレータ・コア・ネットワーク３５０に接続されうる。以下に説明されるように、おのおののフェムト・ノード３１０は、関連付けられたＵＥ（例えば、関連付けられたＵＥ３２０Ａ）、および、オプションとして、外部ＵＥ（例えば、外部ＵＥ３２０Ｂ）にサービス提供するように構成されうる。言い換えれば、フェムト・ノード３１０へのアクセスが制限され、これによって、所与のＵＥ３２０は、（例えば、ホームのように）指定されたフェムト・ノード（単数または複数）のセットによってサービス提供されうるが、指定されていないフェムト・ノード３１０（例えば、近隣のフェムト・ノード３１０）によってはサービス提供されない。
【００３４】
しかしながら、さまざまな実施形態では、関連付けられたＵＥ３２０Ａが、外部ＵＥ３２０Ｂにサービス提供しているフェムト・ノード３１０からのＤＬで干渉を経験しうる。同様に、関連付けられたＵＥ３２０Ａに関連付けられたフェムト・ノード３１０は、外部ＵＥ３２０ＢからのＵＬで干渉を経験しうる。
【００３５】
図４は、本明細書に記載されたさまざまな態様にしたがって、同期ネットワークにおけるＰＣＩ衝突検出を可能にする無線通信システムにおける有効通信範囲マップの例を図示する。有効通信範囲マップ４００は、いくつかのトラッキング領域４０２（または、ルーティング・エリアまたはロケーション・エリア）を含みうる。これらのおのおのは、いくつかのマクロ有効通信範囲領域を含みうる。図示された実施形態では、トラッキング領域４０２Ａ、４０２Ｂ、４０２Ｃに関連付けられた有効通信範囲の領域は、太実線で線引きされており、マクロ有効通信範囲領域は、六角形によって表される。トラッキング領域４０２Ａ、４０２Ｂ、４０２Ｃは、フェムト有効通信範囲領域４０６を含みうる。この例において、フェムト有効通信範囲領域４０６（例えば、フェムト有効通信範囲領域４０６Ｃ）のおのおのは、マクロ有効通信範囲領域４０４（例えば、マクロ有効通信範囲領域４０４Ｂ）内に図示される。しかしながら、フェムト有効通信範囲領域４０６は、マクロ有効通信範囲領域４０４内に全体が位置していなくても良いことが認識されるべきである。実際、フェムト有効通信範囲領域４０６の大部分は、トラッキング領域４０２またはマクロ有効通信範囲領域４０４内に規定されうる。さらに、１または複数のピコ有効通信範囲領域（図示せず）は、所与のトラッキング領域４０２またはマクロ有効通信範囲領域４０４内に規定されうる。
【００３６】
図３に再び示すように、フェムト・ノード３１０の所有者は、モバイル・オペレータ・コア・ネットワーク３５０を通じて提供された、例えば３Ｇモバイル・サービスのようなモバイル・サービスに申し込みうる。それに加えて、ＵＥ３２０は、マクロ環境および小規模な（例えば、住宅）ネットワーク環境の両方において動作することが可能でありうる。言い換えれば、ＵＥ３２０の現在の所在地に依存して、ＵＥ３２０は、モバイル・オペレータ・コア・ネットワーク３５０のアクセス・ノード３６０によってサービス提供されるか、あるいは、（例えば、対応するユーザ住宅３３０内に存在するフェムト・ノード３１０Ａ、３１０Ｂのような）フェムト・ノード３１０のセットのうちの何れか１つによってサービス提供されうる。例えば、加入者が、自宅の外にいる場合、標準的なマクロ・アクセス・ノード（例えば、ノード３６０）によってサービス提供され、加入者が、自宅にいる場合、フェムト・ノード（例えば、ノード３１０Ａ）によってサービス提供される。ここで、フェムト・ノード３１０は、既存のＵＥ３２０と下位互換性がありうることが認識されるべきである。
【００３７】
フェムト・ノード３１０は、単一の周波数で、代替例では、複数の周波数で展開されうる。特定の構成に依存して、単一周波数、または、複数の周波数のうちの１または複数が、マクロ・ノード（例えば、ノード３６０）によって使用される１または複数の周波数とオーバラップしうる。
【００３８】
いくつかの態様では、ＵＥ３２０は、接続が可能な場合にはいつでも、（例えば、ＵＥ３２０のホーム・フェムト・ノードのような）好適なフェムト・ノードに接続されるように構成されうる。例えば、ＵＥ３２０がユーザ住宅３３０内にある場合には常に、ＵＥ３２０は、ホーム・フェムト・ノード３１０とのみ通信しうることが望まれうる。
【００３９】
いくつかの態様では、（例えば、好適ローミング・リストで定義された）最も好適なネットワークには存在していないモバイル・オペレータ・コア・ネットワーク３５０内でＵＥ３２０が動作している場合、ＵＥ３２０は、ベター・システム再選択（ＢＳＲ）を用いて、最も好適なネットワーク（例えば、好適なフェムト・ノード３１０）を求めて探索し続ける。これは、ベターなシステムが現在利用可能であるかを判定するために、利用可能なシステムを定期的にスキャンすることと、このような好適なシステムに関連付けるためのその後の努力とを含みうる。獲得エントリをもって、ＵＥ３２０は、特定の帯域およびチャネルの探索を制限しうる。例えば、最も好適なシステムの探索は、定期的に反復されうる。ＵＥ３２０は、好適なフェムト・ノード３１０を発見すると、自己の有効通信範囲領域内でキャンプするためのフェムト・ノード３１０を選択する。
【００４０】
フェムト・ノードは、いくつかの態様において、制限されうる。例えば、所与のフェムト・ノードは、あるＵＥにあるサービスを提供するのみでありうる。いわゆる制限された（あるいはクローズされた）関係を持つ構成では、所与のＵＥは、マクロ・セル・モバイル・ネットワーク、および、（例えば、対応するユーザ住宅３３０内に存在するフェムト・ノード３１０のような）フェムト・ノードの定義されたセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００４１】
いくつかの態様では、（クローズ加入者グループ（ＣＳＧ）ホーム・ノードＢとも称されうる）制限されたフェムト・ノードは、制限された、ＵＥのプロビジョン・セットにサービスを提供するノードである。必要な場合、このセットは、一時的または永久に拡張されうる。いくつかの態様では、ＣＳＧは、ＵＥの共通アクセス制御リストを共有するＢＳ（例えば、フェムト・ノード）のセットとして定義されうる。領域内のすべてのフェムト・ノード（または、制限されたすべてのフェムト・ノード）が動作するチャネルは、フェムト・チャネルと称されうる。
【００４２】
所与のノードと、所与のＵＥとの間に、さまざまな関係が存在しうる。例えば、ＵＥの観点から、オープンなフェムト・ノードは、制限の無い関係を持つフェムト・ノードを称しうる。制限されたフェムト・ノードは、（例えば、関連付けおよび／または登録のために制限されたような）ある方式で制限されたフェムト・ノードを称しうる。ホーム・フェムト・ノードは、ＵＥがアクセスおよび動作することを許可されたフェムト・ノードを称しうる。ゲスト・フェムト・ノードは、ＵＥがアクセスおよび動作することを一時的に許可されたフェムト・ノードを称しうる。外部フェムト・ノードは、恐らくは緊急時（例えば、９１１コール）を除いて、ＵＥがアクセスまたは動作することを許可されていないフェムト・ノードを称しうる。
【００４３】
制限されたフェムト・ノードの観点から、ホームＵＥは、制限されたフェムト・ノードにアクセスすることを許可されたＵＥを称しうる。ゲストＵＥは、制限されたフェムト・ノードへの一時的なアクセスを持つＵＥを称しうる。外部ＵＥは、例えば９１１コールのような、恐らくは緊急時を除いて、制限されたフェムト・ノードへアクセスする許可を持たないＵＥ（例えば、制限されたフェムト・ノードへ登録するための信用証明または許可を持たないＵＥ）を称しうる。
【００４４】
図４の記載はフェムト・ノードに関して提供されているが、ピコ・ノードが、より広い有効通信範囲領域について、同一または類似の機能を提供しうることが認識されるべきである。例えば、ピコ・ノードが制限され、所与のＵＥ等のためにホーム・ピコ・ノードが定義されうる。
【００４５】
図５は、本明細書に記載されたさまざまな態様にしたがって、ＰＣＩ衝突検出を可能にするための無線通信システムのブロック図の例の図示である。
【００４６】
このシステム５００は、システム５００のそれぞれにセルにおいて、１または複数のＢＳ５０２，５０３を含みうる。いくつかの実施形態では、ＢＳ５０２、５０３は、ＢＳ５０２、５０３の地理的近傍にあるＵＥ５０８との間の通信を提供するように構成されうる。例えば、ＢＳ５０２、５０３は、ハンドオーバおよびその他の処理のために、ＵＥ５０８へ識別情報をレポートするように構成されうる。識別情報は、生成され、ＢＳ５０３、５０２のＰＣＩモジュール５１２、５１９から送信されうる。ＢＳ５０２、５０３はさらに、プロセッサ５１４、５２１、コンピュータ実行可能命令群を格納するメモリ５１６、５２３、および、本明細書に記載された機能を実行するためのトランシーバ５１０、５３０を含みうる。
【００４７】
ＵＥ５０８は、識別情報の受信、および、ＢＳ５０２、５０３の間の衝突の検出のための衝突検出モジュール５２０を含みうる。ＵＥ５０８はさらに、プロセッサ５２２、コンピュータ実行可能命令群を格納するメモリ５２４、および、本明細書に記載された機能を実行するためのトランシーバ５１８を含みうる。
【００４８】
識別情報は、ランダムに生成されたビットであるか、あるいは、それぞれのＢＳのアイデンティフィケーションを示すグローバル・セルＩＤ（ＧＣＩ）のハッシュでありうる。識別情報は、ＵＥがＢＳ５０２およびＢＳ５０３の衝突を検出することを可能にするためのＵＥの衝突検出モジュール５２０へレポートされうる。識別情報は、さまざまな実施形態において、エンハンスト・アイドル・ペリオド・オン・ダウン・リンク（Ｅ−ＩＰＤＬ）基準信号として、および／または、プライマリ・ブロードキャスト・チャネル（ＰＢＣＨ）において送信されうる。本明細書で説明されたさまざまな実施形態では、Ｅ−ＩＰＤＬ基準信号が着目されている一方、いくつかの実施形態では、Ｅ−ＩＰＤＬ基準信号、ポジショニング基準信号、あるいは、その他の基準信号またはポジショニング信号のうちの少なくとも１つが、識別情報を送信するために適用されうる。
【００４９】
衝突検出モジュール５２０は、少なくとも、ＵＥ５０８において受信されたＢＳ５０２、５０３からの識別情報の値、および、識別情報が受信された時間に基づいて、衝突が発生したかを判定するように構成されうる。
【００５０】
いくつかの実施形態では、ＢＳ５０２、５０３は、ＵＥ５０８によって受信される識別情報を送信する。ＵＥ衝突検出モジュール５２０は、２つの異なる値の識別情報を受信すると、これら異なる値が、同時に（あるいは、いくつかの実施形態では、オーバラップする期間中に）送信されたのかを判定しうる。ＵＥ５０８は、異なる識別情報が、同じ時間にあるいは同じ期間中に送信されたものと判定すると、ＢＳ５０２、５０３間で衝突が生じたものと判定する。ＵＥ５０８は、観察された値および／または識別情報を、ＵＬでレポートしうる。その後、ＢＳ５０２、５０３のうちの１または複数は、このレポートを受信し、衝突があると判定しうる。その後、ＢＳ５０２、５０３は、衝突を解決する方法を実行しうる。この方法は、限定される訳ではないが、バックホール・メッセージ交換によるＰＣＩ再設定を含みうる。
【００５１】
以下の実施形態は、ＢＳ５０２、５０３からＵＥ５０８へ識別情報を送信する方法を記載する。
【００５２】
図６は、本明細書に記載された実施形態にしたがって衝突検出を可能にするための方法を例示するフローチャートである。６１０では、方法６００は、１または複数の期間中に、複数のＢＳから識別情報を受信することを含みうる。６２０では、方法６００は、識別情報の２つの異なる値が、同じ、すなわち、オーバラップする期間（または、時間インスタンス）中に送信されたかを判定することを含みうる。６３０では、方法６００は、識別情報の２つの異なる値が、同じ、すなわち、オーバラップする期間（または、時間インスタンス）中に送信されたと判定することに応じて、衝突が生じたかを判定することを含みうる。
【００５３】
６４０では、方法６００は、衝突の検出をレポートすることを含みうる。いくつかの実施形態では、このレポートは、識別情報の観測値を含みうる。
【００５４】
図７は、本明細書に記載された実施形態にしたがって衝突検出を可能にするための方法を例示するフローチャートである。７１０では、方法７００は、ＵＥが、Ｅ−ＩＰＤＬ基準信号、ポジショニング基準信号、あるいは、その他の基準信号またはポジショニング信号によって送信された識別情報を受信することを含みうる。識別情報は、ＵＥに地理的に近いセルにおける１または複数のＢＳから送信されうる。Ｅ−ＩＰＤＬ基準信号、ポジショニング基準信号、あるいは、その他の基準信号またはポジショニング信号が、時間および周波数において低再使用の１または複数のＢＳから送信されうる。
【００５５】
Ｅ−ＩＰＤＬ基準信号は、９ビットのＰＣＩを含みうる。Ｅ−ＩＰＤＬ基準信号の情報の周波数オフセットおよびシーケンスは、ＰＣＩとの１対１のマッピングを有しうる。いくつかの実施形態では、Ｅ−ＩＰＤＬ基準信号は、１ビットのＧＣＩハッシュ・ビットと、ＰＣＩとの１対１のマッピングを有しうる。１ビットのＧＣＩハッシュは、衝突検出中に、ＵＥへＢＳを識別することとともに含まれうるか、あるいは、このための識別情報でありうる。いくつかの実施形態では、１ビットのＧＣＩハッシュは、Ｅ−ＩＰＤＬ基準信号の２つの異なる周波数オフセットを使用してシグナルされうる。
【００５６】
７２０では、方法７００は、ＵＥが、識別情報から１ビットのＧＣＩハッシュ・ビットを検出することを含みうる。したがって、１ビットのＧＣＩハッシュ・ビットは、識別情報を送信する１または複数のＢＳのおのおのから検出されうる。
【００５７】
いくつかの実施形態では、識別情報は、ランダムに生成されたビットを含みうる。ランダムに生成されたビットは、１または複数のＢＳのおのおのによって、準ランダム雑音発生器から生成されうる。
【００５８】
７３０では、方法７００は、ＵＥが、識別情報を送信するＢＳのうちの１または複数間で衝突が生じたかを判定することを含みうる。
【００５９】
図８は、本明細書に記載した実施形態にしたがって、衝突検出を可能にするための方法を例示するフローチャートである。８１０では、方法８００は、ＢＳからＵＥへとＰＢＣＨを経由して、大きな処理ゲインで識別情報を受信することを含みうる。ＰＢＣＨは、衝突を検出するＵＥへＢＳが識別情報を送信するために少なくとも１ビットが利用される予備ビットを含みうる。識別情報は、いくつかの実施形態では、１ビットのＧＣＩハッシュ・ビットでありうるか、これを含みうる。いくつかの実施形態では、識別情報は、ランダムに生成されたビットでありうるか、これを含みうる。ランダムに生成されたビットは、ＢＳにおいて準ランダム雑音発生器によって生成されうる。
【００６０】
いくつかの実施形態では、ＰＢＣＨは、１０の予備ビットを含みうる。１ビットのＧＣＩハッシュ・ビットに加えて、ＰＢＣＨは、４ビットのシステム帯域幅、８ビットのシステム・フレーム、および、３ビットの物理ハイブリッド自動反復要求インジケータ・チャネル（ＰＨＩＣＨ）負荷を送信するために利用されうる。システム帯域幅およびシステム・フレーム番号は、同期ネットワーク内のすべてのセルについて同じでありうる一方、ＰＨＩＣＨ負荷および１ビットのＧＣＩハッシュ・ビットは、ＰＢＣＨを送信しているＢＳのうちの何れかを受信することによってＰＢＣＨが知られる場合に検出されうる。
【００６１】
８２０では、方法８００は、ＵＥが、識別情報から検出を実行することを含みうる。ＰＨＩＣＨ負荷および１ビットのＧＣＩハッシュ・ビットは、いくつかの実施形態では、ブラインド探索によって検出されうる。具体的には、ＵＥにおけるトランシーバは、複雑さの少ない受信機を含み、反復的な巡回冗長検査（ＣＲＣ）およびテール・バイティング畳み込み符号化によって、１ビットのＧＣＩハッシュ・ビットにおいて異なっているＰＢＣＨのシーケンス間の相関を低減しうる。複雑さの少ないこの方法を実行するために、１ビットのＧＣＩハッシュ・ビットの割当後、ＰＢＣＨにおける残りの予備ビットは、セルを通じて同であることが認識される。したがって、１ビットのＧＣＩハッシュ・ビットは、識別情報を送信する１または複数のＢＳのおのおのから検出されうる。
【００６２】
いくつかの実施形態では、識別情報は、ランダムに生成されたビットを含みうる。ランダムに生成されたビットは、１または複数のＢＳのおのおのによって準ランダム雑音発生器から生成されうる。
【００６３】
８３０では、方法８００は、ＵＥが、識別情報を送信する１または複数のＢＳ間で衝突が生じたかを判定することを含みうる。
【００６４】
図９は、本明細書に記載された実施形態にしたがった衝突検出を可能にするための方法を例示する別のフローチャートである。９１０では、方法９００は、１または複数の期間中に、第１の識別情報をＵＥへ送信することを含みうる。
【００６５】
いくつかの実施形態では、第１の識別情報は、第１のＢＳによって管理されたセルのための値を示しており、第１の識別情報を送信する第１のＢＳと、第２の識別情報を送信する第２のＢＳとの間で衝突が生じたかを判定するために、第１のＢＳによって管理されたセルのための値と、１または複数の期間のうちの少なくとも１つとが適用される。
【００６６】
いくつかの実施形態では、第１の識別情報または第２の識別情報が、物理セル識別子と、グローバル・セル識別子ハッシュ・ビットまたはランダムに生成されたビットのうちの少なくとも１つとを含むＥ−ＩＰＤＬ基準信号によって送信される。
【００６７】
いくつかの実施形態では、グローバル・セル識別子ハッシュ・ビットと、物理セル識別子との１対１のマッピングが存在しうる。いくつかの実施形態では、Ｅ−ＩＰＤＬ基準信号は、グローバル・セル識別子ハッシュ・ビットを含んでおり、グローバル・セル識別子ハッシュ・ビットは、Ｅ−ＩＰＤＬ基準信号の２つの異なる周波数オフセットを用いてシグナルされる。
【００６８】
いくつかの実施形態では、第１の識別情報または第２の識別情報は、複数の予備ビットを含むプライマリ・ブロードキャスト・チャネルによって送信され、予備ビットのうちの１つは、ＰＨＩＣＨ負荷、および、グローバル・セル識別子ハッシュ・ビットまたはランダムに生成されたビットのうちの少なくとも１つである。
【００６９】
９２０では、方法９００は、ＵＥが第１のＢＳと第２のＢＳとの間の衝突を検出することに応じて、ＵＥから、衝突を示すレポートを受信することを含みうる。
【００７０】
９３０で、方法９００は、衝突を解決することを含みうる。いくつかの実施形態では、ＢＳは、物理セル・アイデンティフィケーション再設定を実行することによって、衝突を解決しうる。物理セル・アイデンティフィケーション再設定は、バックホールによって実行されうる。
【００７１】
図１０および図１１は、本明細書に記されたさまざまな態様にしたがってＰＣＩ衝突検出を可能にするためのシステムのブロック図である。
【００７２】
図１０に移って、衝突検出を容易にするシステムが例示される。システム１０００は、プロセッサ、ハードウェア、ソフトウェア、ファームウェア、またはこれらの組み合わせによって実現される機能を表す機能ブロックでありうる機能ブロックを含むものとして表されていることが認識されるべきである。システム１０００は、連携して動作しうる電子構成要素の論理グループ１００２を含みうる。
【００７３】
例えば、論理グループ１００２は、複数のＢＳから、１または複数の期間中に、識別情報を受信するための電子構成要素１００４を含みうる。
【００７４】
いくつかの実施形態では、識別情報は、Ｅ−ＩＰＤＬ基準信号によって、複数のＢＳから受信されうる。いくつかの実施形態では、Ｅ−ＩＰＤＬ基準信号は、物理セル識別子、および、グローバル・セル識別子ハッシュ・ビットまたはランダムに生成されたビットのうちの少なくとも１つを含みうる。いくつかの実施形態では、Ｅ−ＩＰＤＬ基準信号は、グローバル・セル識別子ハッシュ・ビットおよび周波数オフセットを含み、Ｅ−ＩＰＤＬ基準信号の情報のシーケンスは、グローバル・セル識別子ハッシュ・ビットと、物理セル識別子との１対１のマッピングを有する。いくつかの実施形態では、Ｅ−ＩＰＤＬ基準信号は、グローバル・セル識別子ハッシュ・ビットを含み、グローバル・セル識別子ハッシュ・ビットは、Ｅ−ＩＰＤＬ基準信号の２つの異なる周波数オフセットを用いてシグナルされる。
【００７５】
いくつかの実施形態では、識別情報は、ＰＢＣＨによって複数のＢＳから受信される。いくつかの実施形態では、ＰＢＣＨは、複数の予備ビットを含み、これら予備ビットのうちの１つは、グローバル・セル識別子ハッシュ・ビットあるいはランダムに生成されたビットでありうる。
【００７６】
いくつかの実施形態では、予備ビットのうちの１つが、グローバル・セル識別子ハッシュ・ビットであり、複数の予備ビットはさらに、ＰＨＩＣＨ負荷を示す情報をも含みうる。複数のＢＳからの識別情報の少なくとも２つの異なる値が、同じ期間中に送信されたかを判定することは、ブラインド検出を用いて、ＰＨＩＣＨ負荷およびＧＣＩハッシュ・ビットを示す情報を検出することを含みうる。
【００７７】
さらに、論理グループ１００２は、複数のＢＳからの識別情報の少なくとも２つの異なる値が、同じ期間中に送信されたかを判定するための電子構成要素１００６を含みうる。
【００７８】
さらに、論理グループ１００２は、複数のＢＳからの識別情報の少なくとも２つの異なる値が、同じ期間中に送信されたと判定することに応じて、複数のＢＳの間で衝突が発生したかを判定するための電子構成要素１００８を含みうる。
【００７９】
さらに、論理グループ１００２は、衝突の検出をレポートするための電子構成要素１０１０を含みうる。それに加えて、システム１０００は、システム１０００に関連付けられた機能を実行するためのコードおよび／または情報を格納するための電子構成要素１０１２を含みうる。
【００８０】
図１１に移って、衝突検出を容易にするシステムが例示される。システム１１００は、プロセッサ、ハードウェア、ソフトウェア、ファームウェア、またはこれらの組み合わせによって実現される機能を表す機能ブロックでありうる機能ブロックを含むものとして表されていることが認識されるべきである。システム１１００は、連携して動作しうる電子構成要素の論理グループ１１０２を含みうる。
【００８１】
例えば、論理グループ１１０２は、１または複数の期間中に、第１の識別情報をＵＥへ送信するための電子構成要素１１０４を含みうる。いくつかの実施形態では、第１の識別情報は、第１のＢＳによって管理されるセルの値を示す。セルの値は、第１のＢＳと、第２の識別情報を送信する第２のＢＳとの間で衝突が発生したかを判定するために適用されうる。
【００８２】
いくつかの実施形態では、第１の識別情報または第２の識別情報は、物理セル識別子、および、グローバル・セル識別子ハッシュ・ビットまたはランダムに生成されたビットのうちの少なくとも１つを含むエンハンスト・アイドル・ペリオド・オン・ダウン・リンク（Ｅ−ＩＰＤＬ）基準信号によって送信される。いくつかの実施形態では、グローバル・セル識別子ハッシュ・ビットと、物理セル識別との１対１のマッピングが存在しうる。いくつかの実施形態では、Ｅ−ＩＰＤＬ基準信号は、グローバル・セル識別子ハッシュ・ビットを含み、グローバル・セル識別子ハッシュ・ビットは、Ｅ−ＩＰＤＬ基準信号の２つの異なる周波数オフセットを用いてシグナルされる。
【００８３】
いくつかの実施形態では、第１の識別情報または第２の識別情報は、複数の予備ビットを含むプライマリ・ブロードキャスト・チャネルによって送信され、予備ビットのうちの１つは、物理ハイブリッド自動反復要求インジケータ・チャネル、および、グローバル・セル識別子ハッシュ・ビットまたはランダムに生成されたビットのうちの１つである。
【００８４】
論理グループ１１０２は、ＵＥが第１のＢＳと第２のＢＳとの間の衝突を検出することに応じて、衝突を示すレポートをＵＥから受信するための電子構成要素１１０６を含みうる。
【００８５】
論理グループ１１０２は、物理セル・アイデンティフィケーション再設定によって衝突を解決するための電子構成要素１１０８を含みうる。
【００８６】
それに加えて、システム１１００は、システム１１００に関連付けられた機能を実行するためのコードおよび／または情報を格納するための電子構成要素１１１０を含みうる。
【００８７】
図１２は、本明細書に記載されたさまざまな態様にしたがって、本明細書に記載された実施形態が適用されうる無線通信システムの例を示す。本明細書における教示は、少なくとも１つの別のノードと通信するためのさまざまな構成要素を適用するノード（例えば、デバイス）へ組み込まれうる。図１２は、ノード間の通信を容易にするために適用されうるいくつかのサンプル構成要素を図示する。具体的には、図１２は、無線通信システム１２００（例えば、複数入力複数出力（ＭＩＭＯ）システム）のＢＳ１２１０（例えば、アクセス・ポイント）および無線デバイス１２５０（例えば、アクセス端末）を例示する。デバイス１２１０では、多くのデータ・ストリームのためのトラフィック・データが、データ・ソース１２１２から送信（ＴＸ）データ・プロセッサ１２１４へ提供される。
【００８８】
いくつかの態様では、各データ・ストリームが、それぞれの送信アンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【００８９】
おのおののデータ・ストリームの符号化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームの多重化されたパイロットおよび符号化されたデータは、その後、データ・ストリームのために選択された特定の変調スキーム（例えば、バイナリ・フェーズ・シフト・キーイング（ＢＳＰＫ）、ｍアレイ・フェーズ・シフト・キーイング（Ｍ−ＰＳＫ）、または、マルチ・レベル直交振幅変調（Ｍ−ＱＡＭ））に基づいて変調（すなわち、シンボル・マップ）され、変調シンボルが提供される。おのおののデータ・ストリームのデータ・レート、符号化、および変調は、プロセッサ１２３０によって実行される命令群によって決定される。データ・メモリ１２３２は、デバイス１２１０のプロセッサ１２３０またはその他の構成要素によって使用されるプログラム・コード、データ、およびその他の情報を格納しうる。
【００９０】
すべてのデータ・ストリームの変調シンボルは、（例えば、ＯＦＤＭのために）変調シンボルをさらに処理するＴＸ  ＭＩＭＯプロセッサ１２２０に提供される。その後、ＴＸ  ＭＩＭＯプロセッサ１２２０は、ＮＴ個の変調シンボル・ストリームを、ＮＴ個のトランシーバ（ＸＣＶＲ）１２２２Ａ乃至１２２２Ｔへ提供する。いくつかの態様では、ＴＸ  ＭＩＭＯプロセッサ１２２０は、データ・ストリームのシンボルへ、および、このシンボルの送信がなされるアンテナへビーム・フォーミング重みを適用する。
【００９１】
各トランシーバ１２２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ１２２２Ａ乃至１２２２ＴからのＮＴ個の変調信号が、ＮＴ個のアンテナ１２２４Ａ乃至１２２４Ｔからそれぞれ送信される。
【００９２】
デバイス１２５０では、送信された変調信号が、ＮＲ個のアンテナ１２５２Ａ乃至１２５２Ｒによって受信され、おのおののアンテナ１２５２からの受信信号が、それぞれのトランシーバ（ＸＣＶＲ）１２５４Ａ乃至１２５４Ｒへ提供される。各トランシーバ１２５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００９３】
その後、受信（ＲＸ）データ・プロセッサ１２６０は、ＮＲ個のシンボル・ストリームをＮＲ個のトランシーバ１２５４から受信し、受信したこれらシンボル・ストリームを、特定の受信機処理技術に基づいて処理することによって、ＮＴ個の「検出された」シンボル・ストリームが提供される。ＲＸデータ・プロセッサ１２６０は、その後、検出されたおのおののシンボル・ストリームを復調し、デインタリーブし、復号して、そのデータ・ストリームのためのトラフィック・データを復元する。ＲＸデータ・プロセッサ１２６０による処理は、デバイス１２１０におけるＴＸデータ・プロセッサ１２１４およびＴＸ  ＭＩＭＯプロセッサ１２２０によって実行されるものに対して相補的である。
【００９４】
プロセッサ１２７０は、上述したように、どの事前符号化行列を使用するのかを定期的に決定する。プロセッサ１２７０は、行列インデクス部およびランク値部を備えた逆方向リンク・メッセージを規定することができる。データ・メモリ１２７２は、デバイス１２５０のプロセッサ１２７０またはその他の構成要素によって使用されるプログラム・コード、データ、およびその他の情報を格納しうる。
【００９５】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ１２３８によって処理され、変調器１２８０によって変調され、トランシーバ１２５４Ａ乃至１２５４Ｒによって調整され、デバイス１２１０へ送り戻される。ＴＸデータ・プロセッサ１２３８はまた、データ・ソース１２３６から、多くのデータ・ストリームのトラフィック・データを受信する。
【００９６】
デバイス１２１０では、デバイス１２５０からの変調信号が、アンテナ１２２４によって受信され、トランシーバ１２２２によって調整され、復調器（ＤＥＭＯＤ）１２４０によって復調され、ＲＸデータ・プロセッサ１２４２によって処理されて、デバイス１２５０によって送信された逆方向リンク・メッセージが抽出される。その後、プロセッサ１２３０が、ビーム・フォーミング重みを決定するためにどの事前符号化行列を使用するのかを決定し、抽出されたメッセージを処理する。
【００９７】
図１２はまた、本明細書で教示されたような干渉制御動作を実行する１または複数の構成要素を含みうる通信構成要素を例示する。例えば、本明細書で教示されたように、他のデバイス（例えば、デバイス１２５０）と信号を送信／受信するために、干渉（ＩＮＴＥＲ．）制御構成要素１２１０が、デバイス１２１０のプロセッサ１２３０および／またはその他の構成要素と連携しうる。同様に、干渉制御構成要素１２９２は、プロセッサ１２７０、および／または、デバイス１２５０のその他の構成要素と連携し、（例えば、デバイス１２１０のような）他のデバイスとの間と信号を送信／受信する。おのおののデバイス１２１０、１２５０について、記述された構成要素のうちの１または複数の機能が、単一の構成要素によって提供されうることが認識されるべきである。例えば、単一の処理構成要素が、干渉制御構成要素１２９０およびプロセッサ１２３０の機能を提供し、単一の処理構成要素が、干渉制御構成要素１２９２およびプロセッサ１２７０の機能を提供しうる。
【００９８】
態様では、論理チャネルは、制御チャネルおよびトラフィック・チャネルに分類されうる。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、マルチキャスト制御チャネル（ＭＣＣＨ）を含みうる。これは、１またはいくつかのマルチキャスト・トラフィック・チャネル（ＭＴＣＨ）のためのマルチメディア・ブロードキャスト・マルチキャスト・サービス（ＭＢＭＳ）スケジューリングおよび制御情報を送信するために使用される。このチャネルは、一般に、ラジオ・リソース制御（ＲＲＣ）接続を確立した後、マルチメディア・ブロードキャスト・マルチキャスト・サービス（ＭＢＭＳ）（例えば、旧ＭＣＣＨ＋ＭＳＣＨ）を受信するＵＥによってのみ使用される。それに加えて、論理制御チャネルは、専用制御チャネル（ＤＣＣＨ）を含みうる。これは、専用制御情報を送信するポイント・トゥ・ポイント双方向チャネルであり、ラジオ・リソース制御（ＲＲＣ）接続を有するＵＥによって使用されうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するためのポイント・トゥ・マルチポイントＤＬチャネルのためのＭＢＭＳトラフィック・チャネル（ＭＴＣＨ）を含みうる。
【００９９】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を含みうる。ＰＣＨは、セル全体にわたってブロードキャストされることによって、および、他の制御／トラフィック・チャネルのために使用されうる物理レイヤ（ＰＨＹ）リソースへマップされることによって、ＵＥが節電することをサポートする（例えば、不連続受信（ＤＲＸ）サイクルがネットワークによってＵＥへ示されうる）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。
【０１００】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【０１０１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロプロセッサ、および／または、本明細書に記載された機能を実行するように設計されたその他の電子ユニット、またはこれらの組み合わせ内に処理ユニットが実装される。
【０１０２】
実施形態がソフトウェア、ファームウェア、ミドルウェアまたはマイクロコード、プログラム・コードまたはコード・セグメントで実現される場合、これらは、例えば記憶装置のような機械読取可能媒体（またはコンピュータ読取可能媒体）内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１０３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１０４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］
無線通信システムにおける衝突検出を容易にする方法であって、
１または複数の期間中に、複数の基地局から識別情報を受信することと、
前記複数の基地局からの識別情報の少なくとも２つの異なる値が、同じ期間中に送信されたかを判定することと、
前記複数の基地局からの識別情報の少なくとも２つの異なる値が、同じ期間中に送信されたと判定することに応じて、前記複数の基地局のうちの少なくとも２つの間で衝突が発生したと判定することと
を備える方法。
［Ｃ２］
前記衝突の検出をレポートすることをさらに備えるＣ１に記載の方法。
［Ｃ３］
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信されるＣ１に記載の方法。
［Ｃ４］
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含むＣ３に記載の方法。
［Ｃ５］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有するＣ４に記載の方法。
［Ｃ６］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ４に記載の方法。
［Ｃ７］
前記識別情報は、前記複数の基地局からプライマリ・ブロードキャスト・チャネルによって受信されるＣ１に記載の方法。
［Ｃ８］
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つであるＣ７に記載の方法。
［Ｃ９］
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備えるＣ８に記載の方法。
［Ｃ１０］
コンピュータ読取可能媒体を備えるコンピュータ・プログラム製品であって、
前記コンピュータ読取可能媒体は、
コンピュータに対して、１または複数の期間中に、複数の基地局から識別情報を受信させるための第１のコードのセットと、
前記コンピュータに対して、前記複数の基地局からの識別情報の少なくとも２つの異なる値が、同じ期間中に送信されたかを判定させるための第２のコードのセットと、
前記複数の基地局からの識別情報の少なくとも２つの異なる値が、同じ期間中に送信されたと判定することに応じて、前記コンピュータに対して、前記複数の基地局のうちの少なくとも２つの間で衝突が発生したと判定させるための第３のコードのセットと
を備えるコンピュータ・プログラム製品。
［Ｃ１１］
前記コンピュータに、前記衝突の検出をレポートさせるための第４のコードのセットをさらに備えるＣ１０に記載のコンピュータ・プログラム製品。
［Ｃ１２］
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信されるＣ１０に記載のコンピュータ・プログラム製品。
［Ｃ１３］
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含むＣ１２に記載のコンピュータ・プログラム製品。
［Ｃ１４］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有するＣ１３に記載のコンピュータ・プログラム製品。
［Ｃ１５］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号の２つの異なる周波数オフセットを用いてシグナルされるＣ１３に記載のコンピュータ・プログラム製品。
［Ｃ１６］
前記識別情報は、前記複数の基地局からプライマリ・ブロードキャスト・チャネルによって受信されるＣ１０に記載のコンピュータ・プログラム製品。
［Ｃ１７］
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つであるＣ１６に記載のコンピュータ・プログラム製品。
［Ｃ１８］
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備えるＣ１７に記載のコンピュータ・プログラム製品。
［Ｃ１９］
装置であって、
１または複数の期間中に、複数の基地局から識別情報を受信する手段と、
前記複数の基地局からの識別情報の少なくとも２つの異なる値が、同じ期間中に送信されたかを判定する手段と、
前記複数の基地局からの識別情報の少なくとも２つの異なる値が、同じ期間中に送信されたと判定することに応じて、前記複数の基地局のうちの少なくとも２つの間で衝突が発生したと判定する手段と
を備える装置。
［Ｃ２０］
前記衝突の検出をレポートする手段をさらに備えるＣ１９に記載の装置。
［Ｃ２１］
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信されるＣ１９に記載の装置。
［Ｃ２２］
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含むＣ２１に記載の装置。
［Ｃ２３］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有するＣ２２に記載の装置。
［Ｃ２４］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ２２に記載の装置。
［Ｃ２５］
前記識別情報は、前記複数の基地局からプライマリ・ブロードキャスト・チャネルによって受信されるＣ１９に記載の装置。
［Ｃ２６］
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つであるＣ２５に記載の装置。
［Ｃ２７］
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備えるＣ２６に記載の装置。
［Ｃ２８］
装置であって、
１または複数の期間中に、複数の基地局から識別情報を受信し、
前記複数の基地局からの識別情報の少なくとも２つの異なる値が、同じ期間中に送信されたかを判定し、
前記複数の基地局からの識別情報の少なくとも２つの異なる値が、同じ期間中に送信されたと判定することに応じて、前記複数の基地局のうちの少なくとも２つの間で衝突が発生したと判定する
ように構成された衝突検出モジュールを備える装置。
［Ｃ２９］
前記衝突検出モジュールはさらに、前記衝突の検出をレポートするように構成されたＣ２８に記載の装置。
［Ｃ３０］
前記識別情報は、前記複数の基地局から、エンハンスト・アイドル・ペリオド・オン・ダウン・リンク（Ｅ−ＩＰＤＬ）基準信号、ポジショニング基準信号、あるいは、別の基準またはポジショニング信号のうちの少なくとも１つによって受信されるＣ２８に記載の装置。
［Ｃ３１］
前記Ｅ−ＩＰＤＬ基準信号、前記ポジショニング基準信号、あるいは、前記別の基準またはポジショニング信号のうちの少なくとも１つは、グローバル・セル識別子ハッシュ・ビットまたはランダムに生成されたビットのうちの少なくとも１つ、および、物理セル識別子を含むＣ３０に記載の装置。
［Ｃ３２］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記Ｅ−ＩＰＤＬ基準信号、前記ポジショニング基準信号、あるいは、前記別の基準またはポジショニング信号のうちの少なくとも１つの情報の周波数オフセットおよびシーケンスは、前記グローバル・セル識別子ハッシュ・ビットと、前記物理セル識別子との１対１のマッピングを有するＣ３１に記載の装置。
［Ｃ３３］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ３１に記載の装置。
［Ｃ３４］
前記識別情報は、前記複数の基地局からプライマリ・ブロードキャスト・チャネルによって受信されるＣ２８に記載の装置。
［Ｃ３５］
前記プライマリ・ブロードキャスト・チャネルは、複数の予備ビットを含み、
前記複数の予備ビットのうちの１つは、グローバル・セル識別子ハッシュ・ビット、または、ランダムに生成されたビットのうちの少なくとも１つであるＣ３４に記載の装置。
［Ｃ３６］
前記複数の予備ビットのうちの１つは、前記グローバル・セル識別子ハッシュ・ビットであり、
前記複数の予備ビットはさらに、物理ハイブリッド自動反復要求インジケータ・チャネル負荷を示す情報を備え、
前記複数の基地局からの識別情報の少なくとも２つの異なる値が、同じ期間中に送信されたかを判定することは、
前記物理ハイブリッド自動反復要求インジケータ・チャネル負荷を示す情報を、ブラインド検出によって検出することと、
前記グローバル・セル識別子ハッシュ・ビットを検出することと
を備えるＣ３５に記載の装置。
［Ｃ３７］
無線通信システムにおける衝突検出を容易にする方法であって、
１または複数の期間中に、第１の識別情報をユーザ機器へ送信することを備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用される方法。
［Ｃ３８］
前記ユーザ機器が、前記第１の基地局と、前記第２の識別情報を送信する第２の基地局との間の衝突を検出したことに応じて、前記ユーザ機器から、衝突を示すレポートを受信することをさらに備えるＣ３７に記載の方法。
［Ｃ３９］
物理セル・アイデンティフィケーション再設定によって前記衝突を解決することをさらに備えるＣ３８に記載の方法。
［Ｃ４０］
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、前記ポジショニング基準信号、あるいは、物理セル識別子と、グローバル・セル識別子ハッシュ・ビットまたはランダムに生成されたビットのうちの少なくとも１つとを含む別の基準またはポジショニング信号のうちの少なくとも１つによって送信されるＣ３７に記載の方法。
［Ｃ４１］
前記グローバル・セル識別子ハッシュ・ビットと、前記物理セル識別子との１対１のマッピングが存在するＣ４０に記載の方法。
［Ｃ４２］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ４０に記載の方法。
［Ｃ４３］
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷であるＣ３７に記載の方法。
［Ｃ４４］
コンピュータ読取可能媒体を備えるコンピュータ・プログラム製品であって、
前記コンピュータ読取可能媒体は、
コンピュータに対して、１または複数の期間中に、第１の識別情報をユーザ機器へ送信させるための第１のコードのセットを備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用されるコンピュータ・プログラム製品。
［Ｃ４５］
前記ユーザ機器が、前記第１の基地局と、前記第２の識別情報を送信する第２の基地局との間の衝突を検出したことに応じて、前記コンピュータに対して、前記ユーザ機器から、衝突を示すレポートを受信させるための第２のコードのセットをさらに備えるＣ４４に記載のコンピュータ・プログラム製品。
［Ｃ４６］
前記コンピュータに対して、物理セル・アイデンティフィケーション再設定によって前記衝突を解決させるための第３のコードのセットをさらに備えるＣ４５に記載のコンピュータ・プログラム製品。
［Ｃ４７］
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、前記ポジショニング基準信号、あるいは、物理セル識別子と、グローバル・セル識別子ハッシュ・ビットまたはランダムに生成されたビットのうちの少なくとも１つとを含む別の基準またはポジショニング信号のうちの少なくとも１つによって送信されるＣ４４に記載のコンピュータ・プログラム製品。
［Ｃ４８］
前記グローバル・セル識別子ハッシュ・ビットと、前記物理セル識別子との１対１のマッピングが存在するＣ４７に記載のコンピュータ・プログラム製品。
［Ｃ４９］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ４７に記載のコンピュータ・プログラム製品。
［Ｃ５０］
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷であるＣ４４に記載のコンピュータ・プログラム製品。
［Ｃ５１］
装置であって、
１または複数の期間中に、第１の識別情報をユーザ機器へ送信する手段を備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用される装置。
［Ｃ５２］
前記ユーザ機器が、前記第１の基地局と、前記第２の識別情報を送信する第２の基地局との間の衝突を検出したことに応じて、前記ユーザ機器から、衝突を示すレポートを受信する手段をさらに備えるＣ５１に記載の装置。
［Ｃ５３］
物理セル・アイデンティフィケーション再設定によって前記衝突を解決する手段をさらに備えるＣ５２に記載の装置。
［Ｃ５４］
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、前記ポジショニング基準信号、あるいは、物理セル識別子と、グローバル・セル識別子ハッシュ・ビットまたはランダムに生成されたビットのうちの少なくとも１つとを含む別の基準またはポジショニング信号のうちの少なくとも１つによって送信されるＣ５１に記載の装置。
［Ｃ５５］
前記グローバル・セル識別子ハッシュ・ビットと、前記物理セル識別子との１対１のマッピングが存在するＣ５４に記載の装置。
［Ｃ５６］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ５４に記載の装置。
［Ｃ５７］
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷であるＣ５１に記載の装置。
［Ｃ５８］
装置であって、
１または複数の期間中に、第１の識別情報をユーザ機器へ送信するように構成された物理セル・アイデンティフィケーション・モジュールを備え、
前記１または複数の期間中におけるユーザ機器への第１の識別情報は、第１の基地局によって管理されたセルの値を示し、
前記第１の基地局と、第２の識別情報を送信する第２の基地局との間で衝突が生じたかを判定するために、前記第１の基地局によって管理されたセルの値が適用される装置。
［Ｃ５９］
前記物理セル・アイデンティフィケーション・モジュールはさらに、前記ユーザ機器が、前記第１の基地局と、前記第２の識別情報を送信する第２の基地局との間の衝突を検出したことに応じて、前記ユーザ機器から、衝突を示すレポートを受信するように構成されたＣ５８に記載の装置。
［Ｃ６０］
前記物理セル・アイデンティフィケーション・モジュールはさらに、物理セル・アイデンティフィケーション再設定によって前記衝突を解決するように構成されたＣ５９に記載の装置。
［Ｃ６１］
前記１または複数の期間中におけるユーザ機器への第１の識別情報、または、第２の識別情報は、エンハンスト・アイドル・ペリオド・オン・ダウン・リンク（Ｅ−ＩＰＤＬ）基準信号、前記ポジショニング基準信号、あるいは、物理セル識別子と、グローバル・セル識別子ハッシュ・ビットまたはランダムに生成されたビットのうちの少なくとも１つとを含む別の基準またはポジショニング信号のうちの少なくとも１つによって送信されるＣ５８に記載の装置。
［Ｃ６２］
前記グローバル・セル識別子ハッシュ・ビットと、前記物理セル識別子との１対１のマッピングが存在するＣ６１に記載の装置。
［Ｃ６３］
前記Ｅ−ＩＰＤＬ基準信号、前記ポジショニング基準信号、あるいは、前記別の基準またはポジショニング信号のうちの少なくとも１つは、前記グローバル・セル識別子ハッシュ・ビットを含み、
前記グローバル・セル識別子ハッシュ・ビットは、前記Ｅ−ＩＰＤＬ基準信号、前記ポジショニング基準信号、あるいは、前記別の基準またはポジショニング信号のうちの少なくとも１つの２つの異なる周波数オフセットを用いてシグナルされるＣ６１に記載の装置。
［Ｃ６４］
前記１または複数の期間中におけるユーザ機器への第１の識別情報、または、第２の識別情報は、複数の予備ビットを含むプライマリ・ブロードキャスト・チャネルによって送信され、
前記複数の予備ビットのうちの１つは、グローバル・セル識別子ハッシュ・ビットまたはランダムに生成されたビットのうちの少なくとも１つと、物理ハイブリッド自動反復要求インジケータ・チャネル負荷であるＣ５８に記載の装置。
【図１】
0005684156.tif 000002
【図２】
0005684156.tif 000003
【図３】
0005684156.tif 000004
【図４】
0005684156.tif 000005
【図５】
0005684156.tif 000006
【図６】
0005684156.tif 000007
【図７】
0005684156.tif 000008
【図８】
0005684156.tif 000009
【図９】
0005684156.tif 000010
【図１０】
0005684156.tif 000011
【図１１】
0005684156.tif 000012
【図１２】
0005684156.tif 000013